(57)【要約】【課題】コンパクトで、冷蔵および温蔵が可能な収納装置を提供する。【解決手段】前方の少なくとも一部が取出口２となった陳列室３と、ペルチェ素子ユニット６３を備え、陳列室３の下方および後方に配置されたダクト３０を介して取出口２にエアーカーテンを形成するための冷風および温風を供給可能な冷温風供給ユニット４と、ダクト３０に下方から上方に送風して冷風を生成し、取出口２に上方から下方に向いた流れによるエアーカーテンを形成して陳列室３を冷蔵にする冷蔵モード、および、ダクト３０に上方から下方に送風して温風を生成し、取出口２に下方から上方に向いたエアーカーテンを形成して陳列室３を温蔵にする温蔵モードを選択可能な制御ユニット６４とを有する。【選択図】図３
2007209513.tif 000002
【特許請求の範囲】
【請求項１】
前方の少なくとも一部が開放状態の取出口となった陳列室と、
ペルチェ素子ユニットを備え、前記陳列室の下方および後方に配置されたダクトを介して前記取出口にエアーカーテンを形成するための冷風および温風を供給可能な冷温風供給ユニットと、
前記ダクトに下方から上方に送風して冷風を生成し、前記取出口に上方から下方に向いた流れによるエアーカーテンを形成して前記陳列室を冷蔵にする冷蔵モード、および、前記ダクトに上方から下方に送風して温風を生成し、前記取出口に下方から上方に向いた流れによるエアーカーテンを形成して前記陳列室を温蔵にする温蔵モードを選択可能な制御ユニットとを有する収納装置。
【請求項２】
請求項１において、前記陳列室は少なくとも１つの陳列棚を有し、この少なくとも１つの陳列棚は前記ダクトと当該陳列棚の表面構成部材に設けられた複数の細孔とを連通する内部ダクトを備えている収納装置。
【請求項３】
請求項２において、前記複数の細孔を通過する流量を制御可能なダンパをさらに有し、
前記制御ユニットは、前記冷蔵モードでは前記複数の細孔を通過する流量を下げ、前記温蔵モードでは前記複数の細孔を通過する流量を上げる、収納装置。
【請求項４】
請求項２において、
前記ダクトは、前記取出口の下側に至る流路の開度を制御できるダンパを備えており、
前記制御ユニットは、前記冷蔵モードでは前記ダンパの開度を大きくし、前記温蔵モードでは前記ダンパの開度を小さくする、収納装置。
【請求項５】
請求項１において、前記冷温風供給ユニットは、前記ダクトに配置されたヒータを備えている、収納装置。
【請求項６】
請求項２において、前記冷温風供給ユニットは、前記ダクトと前記陳列棚の内部ダクトとの連通上部に配置されたヒータを備えている、収納装置。
【請求項７】
請求項１ないし６のいずれかにおいて、前記陳列室の上方から前記取出口の上端に達する透明な天蓋を有し、この天蓋は、前記陳列室の上方に設けられた前記ダクトの開口と前記取出口との間の送風をガイドする、収納装置。
【請求項８】
収納装置の温度制御方法であって、前記収納装置は、
前方の少なくとも一部が開放状態の取出口となった陳列室と、
ペルチェ素子ユニットを備え、前記陳列室の下方および後方に配置されたダクトを介して前記取出口にエアーカーテンを形成するための冷風および温風を供給可能な冷温風供給ユニットとを有しており、
前記温度制御方法は、
冷蔵が選択されると、前記ダクトに下方から上方に送風して冷風を生成し、前記取出口に上方から下方に向いた流れによるエアーカーテンを形成して前記陳列室を冷蔵にするステップと、
温蔵が選択されると、前記ダクトに上方から下方に送風して温風を生成し、前記取出口に下方から上方に向いた流れによるエアーカーテンを形成して前記陳列室を温蔵にするステップとを有する、温度制御方法。
【請求項９】
請求項８において、前記収納装置の前記陳列室の陳列棚は、前記ダクトと当該陳列棚の表面構成部材に設けられた複数の細孔とを連通する内部ダクトを備え、前記収納装置は、前記複数の細孔を通過する流量を制御可能なダンパをさらに有し、
前記冷蔵にするステップでは、前記複数の細孔を通過する流量を下げ、
前記温蔵にするステップでは、前記複数の細孔を通過する流量を上げる、温度制御方法。
【請求項１０】
請求項８において、前記収納装置の前記陳列室の陳列棚は、前記ダクトと当該陳列棚の表面構成部材に設けられた複数の細孔とを連通する内部ダクトを備え、前記ダクトは、前記取出口の下側に至る流路の開度を制御できるダンパを備えており、
前記冷蔵にするステップでは、前記ダンパの開度を大きくし、
前記温蔵にするステップでは、前記ダンパの開度を小さくする、温度制御方法。
【発明の詳細な説明】
【技術分野】
【０００１】
本発明は、棚などに設置可能であって、食料品や飲料缶などの商品を陳列することができる収納装置およびその温度制御方法に関するものである。
【背景技術】
【０００２】
コンビニエンスストアなどの店舗において、冷蔵が必要な商品は、通常、店舗内に固定された冷蔵用の収納装置（ショーケース）に収納されている。
【０００３】
一方、卓上型などの小型の収納装置も知られている。特許文献１には、卓上に設置するための冷蔵ショーケースが開示されている。この冷蔵ショーケースは、上面および左右両側面が透明板により閉塞され、前後両面が透明扉で閉塞された、縦長の展示箱を有しており、前後の透明扉を旋回して開閉するようになっている。
【特許文献１】特開昭６４−４６５５６号公報
【発明の開示】
【発明が解決しようとする課題】
【０００４】
コンビニエンスストアなどの店舗において、商品が展示される面積の占める割合の多い場所は、ゴンドラと称される、常温で商品を陳列する棚である。したがって、季節や、客の流れなどの条件に応じて、棚の一部に冷蔵の商品を展示できれば、卓上に冷蔵品を展示するよりもさらに商品の展示のバリエーションが増加する。しかしながら、特許文献１に記載されている卓上用の冷蔵ショーケースは縦長であるため、棚にそのまま設置することはできない。
【０００５】
一方で、棚の一部に、冷蔵の商品と共に、あるいは冷蔵の商品に代えて温蔵の商品を展示したいという要求もある。冷蔵用の棚置き型の収納装置に加えて温蔵用の棚置き型の収納装置を用意し、これらを必要に応じて使い分けることは面倒であり、経済的であるとは言えない。
【０００６】
冷蔵状態と温蔵状態を切り換えることが可能な収納装置は、吸熱および発熱する領域を共通にしてコンパクトにしようとすると、冷気が下方に流れ、暖気が上方に流れることから、冷蔵あるいは温蔵のいずれか一方の効率を向上できない。冷気と暖気の流れを適切に制御しようとすると、吸熱する領域と発熱する領域とを別々に配置したり、冷風用のダクトと温風用のダクトとを個々に用意することになる。しかしながら、このような収納装置は、大型化し易く、棚に設置することは難しい。特に、棚に設置する収納装置は、棚に乗った収納装置を目立たせることなく、常温展示されている他の商品と同様に、棚に設置された収納装置に収納された商品を見せ、容易に取り出しできるようにすることが求められる。このため、冷蔵および温蔵のために割くことができるスペースは小さい。
【課題を解決するための手段】
【０００７】
本発明の一形態は、前方の少なくとも一部が開放状態の取出口となった陳列室と、ペルチェ素子ユニットを備え、陳列室の下方および後方に配置されたダクトを介して取出口にエアーカーテンを形成するための冷風および温風を供給可能な冷温風供給ユニットと、ダクトに下方から上方に送風して冷風を生成し、取出口に上方から下方に向いた流れによるエアーカーテンを形成して陳列室を冷蔵にする冷蔵モード、および、ダクトに上方から下方に送風して温風を生成し、取出口に下方から上方に向いた流れによるエアーカーテンを形成して陳列室を温蔵にする温蔵モードを選択可能な制御ユニットとを有する収納装置である。
【０００８】
本発明の他の形態は、収納装置の温度制御方法であって、収納装置は、前方の少なくとも一部が開放状態の取出口となった陳列室と、ペルチェ素子ユニットを備え、陳列室の下方および後方に配置されたダクトを介して取出口にエアーカーテンを形成するための冷風および温風を供給可能な冷温風供給ユニットとを有しており、当該温度制御方法は、冷蔵が選択されると、ダクトに下方から上方に送風して冷風を生成し、取出口に上方から下方に向いた流れによるエアーカーテンを形成して陳列室を冷蔵にするステップと、温蔵が選択されると、ダクトに上方から下方に送風して温風を生成し、取出口に下方から上方に向いた流れによるエアーカーテンを形成して陳列室を温蔵にするステップとを有する。
【０００９】
冷風は上から下に供給することが好ましく、温風は下から上に供給することが好ましい。したがって、本発明では、エアーカーテンを形成するための送風方向を冷蔵と温蔵とで逆転させ、それと共にダクト内での送風方向も逆転させることで、冷蔵時の冷風の経路と温蔵時の温風の経路とを共通とし、収納装置の小型化を図ろうとしている。さらに、ペルチェ素子ユニットは、電流の向きを変えることにより吸熱と放熱とを切り換えることができるので、冷風と温風とに共通のダクト内に設置することにより、コンパクトで冷風および温風を生成可能な収納装置を供給できる。
【００１０】
すなわち、冷蔵モード（冷蔵時）においては、冷風・温風の共通の流体経路であるダクトに、下方から上方に送風して冷風を生成し、陳列室の取出口に上方から下方に向いた流れによるエアーカーテンを形成して陳列室を冷蔵にする。一方、温蔵モード（温蔵時）においては、冷風・温風の共通の流体経路であるダクトに、上方から下方に送風して温風を生成し、陳列室の取出口に下方から上方に向いた流れによるエアーカーテンを形成して陳列室を温蔵にする。したがって、この温度制御方法によれば、コンパクトな収納装置であって、しかも、冷蔵および温蔵の双方が可能な収納装置を提供できる。
【００１１】
食料品や飲料缶などの商品を陳列するために陳列室は、少なくとも１つの陳列棚を有する。商品が１段で陳列されるのであれば、陳列棚は陳列室の床面を兼ねたものだけになる。商品が２段以上で陳列されるのであれば、陳列棚は、陳列室の床面から天蓋に至る途中に追加される。この少なくとも１つの陳列棚は、ダクトと当該陳列棚の表面構成部材に設けられた複数の細孔とを連通する内部ダクトを備えていることが好ましい。取出口から商品を取り出しやすくするために、陳列棚は、少なくとも取出口の上端より下方に設置される。すなわち、陳列棚は、エアーカーテンを形成するためのダクトの上部開口より下側に設置される。したがって、取出口にエアーカーテンを形成するために上方から下方に供給される冷風は、その一部が、陳列棚の表面構成部材に設けられた複数の細孔から吸い込まれ、内部ダクトを介して循環し、陳列棚に配置された商品をさらに効率よく冷却する。また、取出口にエアーカーテンを形成するために下方から上方に供給される温風は、その一部が、陳列棚の表面構成部材に設けられた複数の細孔から吹出し、陳列棚に配置された商品をさらに効率よく加温する。
【００１２】
一般に、冷蔵モードで必要とされる冷風と室温の間の温度差よりも、温蔵モードで必要とされる温風と室温との間の温度差の方が大きい。このため、温蔵モードにおけるエアーカーテンの風量と陳列棚を介した風量とのバランスを変えることが望ましい。
【００１３】
したがって、複数の細孔を通過する流量を制御可能なダンパをさらに有し、制御ユニットは、冷蔵モード（冷蔵にするステップ）では、複数の細孔を通過する流量を下げ、温蔵モード（温蔵にするステップ）では、複数の細孔を通過する流量を上げることが好ましい。ダクトは、陳列室の取出口の下側に至る流路の開度を制御できるダンパを備えていることが好ましく、その場合、制御ユニットは、冷蔵モード（冷蔵にするステップ）では、ダンパの開度を大きくし、温蔵モード（温蔵にするステップ）では、ダンパの開度を小さくすることが好ましい。温蔵モードでは、室温と温度差のある温風をユーザが手を入れる取出口に大量に吹き出すよりは、商品により近い陳列棚から吹出した方が商品を加温するために効率が良く、また、取出口の温度が急激に変動しないので、ユーザは手を入れやすい。冷蔵モード（冷蔵するステップ）においては、陳列棚から大量の冷風を吸い込んで商品を急激に冷却するよりは、エアーカーテンにより陳列室内部を冷却した方が、陳列中の商品に結露が生じ難い。
【００１４】
冷温風供給ユニットは、ペルチェ素子ユニットを備えているため、陳列室内に冷風および温風を供給することができる。冷風と室温との温度差よりも、温風と室温との温度差の方が大きいのが一般的なので、ダクトにヒータを配置することにより、冷却および加熱の両方で効率の良いペルチェ素子ユニットをダクトに設置できる。温蔵モードにおいては、ヒータのみで加温するシステムにすることも可能である。また、温蔵モードにおいて、ヒータにより加熱された温風を陳列棚から吹き出させるためには、ヒータは、ダクトと陳列棚の内部ダクトとの連通上部に配置することが好ましい。
【００１５】
陳列室の上方から取出口の上端に達する透明な天蓋を設け、この天蓋により陳列室の上方に設けられたダクトの開口と取出口との間の送風をガイドすることができる。
【発明を実施するための最良の形態】
【００１６】
以下に、図面を参照して本発明の一実施形態について詳しく説明する。図１に、収納装置の外観を斜視図により示してある。図２に、収納装置が備える陳列棚の概略構成を分解斜視図により示してある。図３（ａ）および（ｂ）に、収納装置を縦断面図により示してある。この収納装置１は、コンビニエンスストアでゴンドラと称される常温で展示される商品の棚に設置できるサイズおよび重量の収納装置であり、食料品や飲料缶などの商品を冷蔵・温蔵する装置としての機能と、ショーケースとしての機能を兼ね備えている。
【００１７】
図１、図３（ａ）および（ｂ）に示すように、この収納装置１は、前方の一部が開放され、商品の取出口２となっている横長の陳列室３と、陳列室３の後方および下方に配置された冷温風供給ユニット（以降では供給ユニット）４とを構成するためのハウジング５を有している。ハウジング５は、透明な天井（天蓋）５ａと、透明な両側壁５ｂおよび５ｃと、後壁５ｄと、下壁５ｅとを有している。陳列室３の内部には、第１および第２の陳列棚１０および２０が配置されている。第２の陳列棚２０は、陳列室３の床面を兼ねている。供給ユニット４の内部には、陳列室３の後方および下方に延びたダクト３０と、そのダクト３０の内部の空気を冷却および加熱することができるペルチェ素子ユニット６３が配置されている。
【００１８】
陳列室３は、透明な天蓋５ａと、透明な両側壁５ｂおよび５ｃとで上方と側方とが囲われ、下方および後方は供給ユニット４に接し、前方（前面）が開放されている。したがって、陳列室３は、内部に商品を陳列し、前方の取出口２から商品を出し入れし易い形態となっている。透明な天蓋５ａと、両側壁５ｂおよび５ｃとには、軽量で、強度もあり、断熱性能も高い二重アクリル構造の壁体が採用されている。透明な天蓋５ａは、上壁５ｆとなる部分がほぼ平らであって、前側の先端部分５ｇが下側に湾曲した形状となり取出口２の上端を構成する。したがって、この透明な天蓋５ａは、室内光を陳列室３の内部に導いて商品を見やすくすると共に、陳列室３の上方に設けられたダクト３０の開口３１と取出口２との間の送風をガイドする機能を果たす。
【００１９】
供給ユニット４のダクト３０は、陳列室３の後側の上端部に配置された複数の第１の開口３１と、取出口２の下端に当たる、陳列室３の下側の陳列棚２０の前端部に配置された複数の第２の開口３２とを有している。また、ダクト３０は、陳列室３の後壁の中間部の陳列棚１０を接続する位置に、複数の第３の開口３３を有している。
【００２０】
ダクト３０の第１の開口３１の近傍には、送風方向が互いに逆となる第１および第２のクロスフローファン３４および３５が設けられている。陳列室３の後面に沿ってダクト３０が上下に延びた部分の下方には、ペルチェ素子６１を備えたペルチェ素子ユニット６３が取り付けられ、ペルチェ素子ユニット６３の第１のフィン６６がダクト３０内に突き出ている。その上方のダクト３０の内部には、ヒータ６２が配置されている。ダクト３０の外側（ダクト３０の後側およびダクト３０の下側）には、断熱材７１および７２が貼り付けられ、ハウジング５の後方には、断熱材７１を挟んで上下に延びた排熱路７９が構成されている。排熱路７９には、ペルチェ素子ユニット６３の第２のフィン６７が突き出ており、そのフィン６７の後方にプロペラファン６８が配置されている。さらに、排熱路７９の上方には、制御ユニット６４を含む基板６５が配置されており、ファン３４および３５、ペルチェ素子ユニット６３、ヒータ６２、排熱用のファン６８を含む供給ユニット４の全体を制御ユニット６４により制御できるようになっている。
【００２１】
制御ユニット６４は、冷蔵モードと温蔵モードとを選択可能であり、冷蔵モードにおいては、ペルチェ素子ユニット６３に対して、ダクト３０の内部の第１のフィン６６を吸熱、排熱路７９の第２のフィンを放熱になる電流の流れにより電力を供給する。さらに、第１のクロスフローファン３４を選択して、ダクト３０に下方から上方への流れを形成する。温蔵モードにおいては、ペルチェ素子ユニット６３に対して、ダクト３０の内部の第１のフィン６６が放熱、排熱路７９の第２のフィンが吸熱になる電流の流れにより電力を供給する。ヒータ６２にも電力を供給する。さらに、第２のクロスフローファン３５を選択して、ダクト３０に上方から下方への流れを形成する。冷蔵モードと温蔵モードとの切り替えは、ハウジング５の後壁５ｄなどに操作スイッチ７５を設けることにより可能である。
【００２２】
供給ユニット４は、ダクト３０を介して取出口２にエアーカーテンを形成するための冷風および温風を供給可能である。図３（ａ）に示すように、操作スイッチ７５により冷蔵モードが選択されると、制御ユニット６４は、第１のクロスフローファン３４を駆動させ、ダクト３０に、下方から上方への流れを形成する。ダクト３０の下方から上方への流れは、ペルチェ素子ユニット６３により冷却され冷風となり、第１の開口３１から陳列室３に水平方向前向きに吹き出される。天蓋５ａの前側の先端部分５ｇが下側に湾曲した形状となっているため、天蓋５ａの先端部分５ｇに沿って冷風は下方に向けて流れる。取出口２の下側に配置された、ダクト３０の第２の開口３２は、取出口２の下側から空気を吸い込む。その結果、取出口２に上方から下方に向いて流れる冷風によりエアーカーテンが形成される。
【００２３】
操作スイッチ７５により温蔵モードが選択されると、図３（ｂ）に示すように、制御ユニット６４は、第２のクロスフローファン３５を駆動させ、ダクト３０に、上方から下方への流れを形成する。ダクト３０の上方から下方への流れは、ヒータ６２およびペルチェ素子ユニット６３により加熱されて温風となる。この温風は、第２の開口３２から陳列室３に鉛直方向上向きに吹き出し、取出口２に下方から上方に向いた流れとなる。また、第１の開口３１からダクト３０に空気が吸い込まれ、天蓋５ａの前側の先端部分５ｇが下側に湾曲した形状となっているため、取出口２の上端になる天蓋５ａの先端部分５ｇに沿った上方への流れを形成する。その結果、取出口２に下方から上方に向いて流れる温風によりエアーカーテンが形成される。
【００２４】
図２に、第１の陳列棚１０を分解斜視図により示してある。第１の陳列棚１０は、上方が開口１１ａとなった凹部１１を備える棚本体１２と、凹部１１の上部の開口１１ａを塞ぐように棚本体１２の上に敷き詰められるＳＵＳ製の複数の棚板１３（図２では１枚のみ図示）とを備えている。棚本体１２と複数枚の棚板１３で囲われた空間が内部ダクト４０となり、陳列棚の表面構成部材である各棚板１３に設けられた複数の細孔１４と連通している。第１の陳列棚１０は、これを陳列室３の中間部に配置することにより、ダクト３０の第３の開口３３と、内部ダクト４０とが連通するようになっている。陳列室３の底板を兼ねる第２の陳列棚２０もほぼ同様の構成であるが、この収納装置１においては、内部ダクト４０は陳列室３の下側に配置されたダクト３０と一体となっている。第２の陳列棚２０の内部ダクトを分離することも可能である。
【００２５】
これらの陳列棚１０および２０の棚板１３に設けられた細孔１４はダクト３０と連通しており、細孔１４を介して冷風および温風を給排気できる。例えば、図３（ａ）に示した冷蔵モードにおいては、陳列棚１０および２０の上方にファン３４および開口３１が配置され、冷風が吹出しているので、細孔１４から冷風がダクト３０に吸い込まれる。図３（ｂ）に示した温蔵モードにおいては、陳列棚１０および２０の上方にファン３５および開口３１が配置され、温風を吸い込んでいるので、細孔１４を介してダクト３０から温風が吹出される。
【００２６】
第１および第２の陳列棚１０および２０の棚板１３の上には、それぞれ、樹脂製のスノコ５１が配置されている。このスノコ５１として、低摩擦係数のフッ素系樹脂を用いることにより、飲料缶などが、ある程度滑りやすい状態の陳列棚１０および２０を得ることができる。また、スノコ５１を棚板１３の上に敷くことにより、棚板１３の細孔１４が、陳列された飲料缶などにより塞がれないように、棚板１３と陳列された商品との間にある程度の距離を確保することができる。したがって、細孔１４から吸い込まれる冷風により陳列棚の上の商品を冷却でき、細孔１４から吹出される温風により商品を加温できる。
【００２７】
第１および第２の陳列棚１０および２０は、前方に、商品の倒れ防止用のストッパ５２を設けたり、スノコ５１やストッパ５２を省略したり、棚本体１２および棚板１３を、複数枚に分割する代わりに１枚板にするなどの変更が可能である。
【００２８】
さらに、ダクト３０の第２の開口３２の近傍には、取出口２の下側に至るダクト３０の流路の開度を制御できるダンパ３６が設けられている。このダンパ３６の開度を制御ユニット６４により調整することにより、第１のクロスフローファン３４を駆動させたときの第２の開口３２からダクト３０に吸い込まれる量、および、第２のクロスフローファン３５を駆動させたときに第２の開口３２から排出される風量を調整できる。その結果、陳列棚１０および２０の複数の細孔１４を通過する流量を制御することができる。冷蔵モードでは、ダンパ３６の開度を大きくして第２の開口３２からの吸い込み量を増やし、それにより細孔１４を通過する流量を減らすことが望ましい。温蔵モードでは、ダンパ３６の開度を小さくして第２の開口３２からの吹出し量を減らし、それにより細孔１４を通過する流量を増やすことが望ましい。
【００２９】
図４は、収納装置１の温度制御方法を説明するためのフローチャートを示してある。ステップ１０１において、操作スイッチ７５が操作されてモードが変更されると、ステップ１０２において、それが冷蔵であるか温蔵であるかを判断する。冷蔵が選択された場合、ステップ１０３において、冷蔵条件がセットされる。すなわち、ダクト３０に下方から上方への流れを形成する第１のクロスフローファン３４が選択され、ペルチェ素子ユニット６３に対する電流の向きが選択され、ダンパ３６の開度が選択される。その結果、ステップ１０５において、第１のクロスフローファン３４が駆動され、ステップ１０６において、ダンパ３６が開く。これにより、ダクト３０に下方から上方に送風して冷風を生成し、取出口２に上方から下方に向いた流れによるエアーカーテンを形成して陳列室３を冷蔵にする。
【００３０】
一方、ステップ１０２において、温蔵が選択された場合、ステップ１０４において、温蔵条件がセットされる。すなわち、ダクト３０に上方から下方への流れを形成する第２のクロスフローファン３５が選択され、ペルチェ素子ユニット６３に対する電流の向きが選択され、ダンパ３６の開度が選択される。ステップ１０５において、第２のクロスフローファン３５が駆動され、ステップ１０６において、ダンパ３６が閉の方向に動く。これにより、ダクト３０に上方から下方に送風して温風を生成し、主として、陳列棚１０および２０の内部ダクト４０を流通し、複数の細孔１４を介して、陳列棚１０および２０の表面から吹き出され、補助的に、取出口２に下方から上方に向いた流れによるエアーカーテンを形成して陳列室３を温蔵にする。
【００３１】
以上のように、本実施形態の収納装置１は、取出口２にエアーカーテンを形成するための冷風と温風との方向を逆転することにより、冷蔵時の冷風の経路と温蔵時の温風の経路とを共通の流体経路（ダクト３０）で形成されており、コンビニエンスストアのお菓子や生活用品などの常温商品が陳列された棚（ゴンドラ）に設置できるサイズに纏められている。さらに、陳列棚１０および２０から冷風を吸い込み、温風を吹き出すことができ、陳列棚１０および２０に陳列された商品を効率よく冷却および加温できる。また、冷蔵モードにおいては、エアーカーテンを形成する風量を大きく、陳列棚から吸い込む量を少なくすることにより、陳列室３の内部全体を冷却し、商品が結露するのを防止できる。一方、温蔵モードにおいては、エアーカーテンを形成する風量を小さくし、陳列棚から吹き出す量を大きくすることにより、商品の加熱を促進し、取出口２の温度が急激に上がることを防止できる。したがって、安全で効率よく商品を加温および冷却できる収納装置を提供できる。
【００３２】
また、本実施形態の収納装置１は、横長の陳列室３の前方が開放されているので、陳列室３内の陳列棚１０および２０に展示された商品に簡単に手が届く設計となっている。さらに、天井５ａおよび左右の側壁が透明であり、前方のみならず上および左右からも陳列されている商品が見えるため、他のゴンドラに展示されている商品と同様に、ショーケースとしての機能も兼ね備えている。特に透明な天蓋５ａは、室内空調のための風が商品に直接当たることを防止し、冷却あるいは加温の効率を向上できる。そして、陳列室３の内部に照明を配置しなくても陳列室３の内部を明るく保てるので、照明による冷却負荷の増大を防止でき、ペルチェ素子ユニット６３を小さくし、収納装置１を棚置きに適したサイズに纏めることを可能としている。さらに、この天蓋５ａは、本例の収納装置１においては、取出口２にエアーカーテンを形成するための空気の流れを形成するために寄与していることは上述した通りである。このように、本実施形態の収納装置１は、コンビニエンスストアなどの棚に設置する収納装置として好適である。
【００３３】
なお、本実施形態の収納装置１は、陳列室３の中間部および下部に陳列棚１０および２０を設け、２段構造としているが、本発明の収納装置は、陳列棚の数は任意であり、１段であっても３段以上であってもよい。また、本実施形態では、下部に設けた第２の陳列棚２０の内部ダクトを省略し、ダクト３０から複数の細孔１４を介して直接風が吹き出すようにしているが、第２の陳列棚２０も、第１の陳列棚１０と同様に、内部ダクト４０を設けてもよい。
【図面の簡単な説明】
【００３４】
【図１】本発明の一実施形態に係る収納装置の外観を示す斜視図である。
【図２】図１に示した収納装置が備える陳列棚を説明するための分解斜視図。
【図３】図１に示した収納装置を示す縦断面図であって、（ａ）は冷蔵モードでの冷風の流れを説明するための図、（ｂ）は温蔵モードでの温風の流れを説明するための図。
【図４】図１に示した収納装置の温度制御方法を説明するためのフローチャート。
【符号の説明】
【００３５】
１    収納装置、  ２    取出口
３    陳列室、  ４    冷温風供給ユニット
１０、２０    陳列棚、  １４    細孔
３０    ダクト、  ３６    ダンパ
４０    内部ダクト、  ６１    ペルチェ素子
６２    ヒータ、  ６３    ペルチェ素子ユニット
６４    制御ユニット
【図１】
2007209513.tif 000003
【図２】
2007209513.tif 000004
【図３】
2007209513.tif 000005
【図４】
2007209513.tif 000006